(57)【要約】【課題】上部発射式のパチンコ機において、構成簡単化、低コスト化の要求を満たしながら、２つの球皿間のパチンコ球の移し替えを自動化する。【解決手段】パチンコ機１１の遊技領域１５の上部側又は中間部に相当する位置に球発射装置１６を取り付け、遊技領域１５の上方側と下方側に上部球皿１７と下部球皿１９を設ける。球払出装置から上部球皿１７に賞球を払い出し、上部球皿１７内のパチンコ球を球発射装置１６に供給する。また、台間球貸機の貸球排出ノズル４４から下部球皿１９に排出された貸球や、上部球皿１７から下部球皿１９にオーバーフローしたパチンコ球は、球排出装置２１により機外（パチンコ島側）へ排出し、排出されたパチンコ球と同じ数のパチンコ球を球払出装置から上部球皿１７に補給する。これにより、見掛け上、下部球皿１９内のパチンコ球を上部球皿１７へ移し替える。【選択図】　図１
2004065599.tif 000002
【特許請求の範囲】
【請求項１】
遊技機の上部側又は中間部に球発射装置を配置した上部発射式の遊技機において、
遊技領域の上方側と下方側にパチンコ球を貯溜する上部球皿と下部球皿を設け、前記上部球皿内のパチンコ球を前記球発射装置に供給すると共に、前記上部球皿と前記下部球皿のうちの少なくとも一方に賞球及び／又は貸球を払い出すように構成され、
前記下部球皿内のパチンコ球を機外へ排出する球排出手段と、
前記球排出手段により排出されたパチンコ球と同じ数のパチンコ球を前記上部球皿に補給する球補給手段とを備えていることを特徴とする遊技機。
【請求項２】
前記上部球皿内のパチンコ球の貯溜状態を該上部球皿の上方以外から見て確認できるように構成されていることを特徴とする請求項１に記載の遊技機。
【請求項３】
前記上部球皿の前面側に、イルミネーション手段が設けられていることを特徴とする請求項１又は２に記載の遊技機。
【請求項４】
パチンコ球を貯溜する上球皿と下球皿を備えた遊技機において、
前記下球皿内のパチンコ球を機外へ排出する球排出手段と、
前記球排出手段により排出されたパチンコ球と同じ数のパチンコ球を前記上球皿に補給する球補給手段とを備えていることを特徴とする遊技機。
【発明の詳細な説明】
【０００１】
【発明の属する技術分野】
本発明は、遊技機の上部側又は中間部に球発射装置を配置した上部発射式の遊技機に関するものである。
【０００２】
【従来の技術】
一般的な遊技機（例えばパチンコ機）は、遊技機の下部に球発射装置を配置して、パチンコ球を遊技領域（遊技盤）に向かって打ち上げるようにしているが、近年、遊技機の上部に球発射装置を配置することで、遊技領域を下方へ拡大できるようにしたり、パチンコ球の打ち上げ距離を短くして球発射装置を小型化・低消費電力化できるようにする上部発射式の遊技機が提案されている。
【０００３】
この上部発射式の遊技機に関する技術として、特公平１−２３１４９号公報に示すように、遊技機の前面上部に、パチンコ球を貯溜する上部球皿を配置し、この上部球皿からパチンコ球を球発射装置に供給する構成が提案されている。更に、この公報では、遊技機の前面下部に配置した下部球皿内のパチンコ球（例えば、賞球又は貸球として下部球皿に払い出したパチンコ球や、上部球皿からオーバーフローして下部球皿に流れ込んだパチンコ球）を上部球皿へ持ち上げて移送するリフト機構を設けた構成が提案されている。これにより、遊技者が下部球皿内のパチンコ球を手で持ち上げて上部球皿へ移し替える手間を省くことができるようになっている。
【０００４】
【発明が解決しようとする課題】
しかし、上記構成の遊技機では、遊技機の下部から上部に延びる大型のリフト機構を設ける必要があるため、遊技機内の広い範囲にリフト機構の組付スペースを確保する必要がある。そのため、近年の多機能化・部品点数増加の傾向にある遊技機では、大型のリフト機構を設けるのが困難であったり、或は、部品点数（搭載機能）を減らさざるを得なくなる可能性がある。しかも、遊技機の内部構成が複雑化して、製造コストが高くなるという欠点もある。
【０００５】
また、リフト機構によって下部球皿内のパチンコ球を持ち上げて上部球皿へ移送する動作は、あまり高速化することができないため、近年のパチンコ機のように高速（例えば１００球／分）でパチンコ球を発射する機種では、球発射装置のパチンコ球の発射動作のスピードがリフト機構のパチンコ球の移送動作のスピードよりも速くなってしまう。その結果、遊技中に、リフト機構で下部球皿から上部球皿へパチンコ球を移送しているにも拘らず、比較的短い時間で上部球皿内のパチンコ球が無くなってパチンコ球の発射が途切れてしまうことがある。
【０００６】
本発明はこのような事情を考慮してなされたものであり、従ってその目的は、上部発射式の遊技機において、構成簡単化、低コスト化の要求を満たしながら、２つの球皿間のパチンコ球の移し替えの手間を省くことができると共に、いずれかの球皿にパチンコ球が残っている間は、パチンコ球の発射が途切れないように球発射装置にパチンコ球を供給し続けることができる遊技機を提供することにある。
【０００７】
【課題を解決するための手段】
上記目的を達成するために、本発明の請求項１は、遊技機の上部側又は中間部に球発射装置を配置した上部発射式の遊技機において、遊技領域の上方側と下方側にパチンコ球を貯溜する上部球皿と下部球皿を設け、上部球皿内のパチンコ球を球発射装置に供給すると共に、上部球皿と下部球皿のうちの少なくとも一方に賞球及び／又は貸球を払い出すように構成する。そして、下部球皿内のパチンコ球を球排出手段により機外へ排出し、排出されたパチンコ球と同じ数のパチンコ球を球補給手段により上部球皿に補給するようにしたものである。このようにすれば、見掛け上、下部球皿内のパチンコ球を上部球皿へ移し替えることができるので、遊技者が下部球皿内のパチンコ球を手で持ち上げて上部球皿へ移し替える手間を省くことができる。
【０００８】
この構成では、遊技機の下部から上部に延びる大型のリフト機構を設けなくても良いため、近年の多機能化・部品点数増加の傾向にある遊技機においても、本発明の構成を比較的低コストで容易に実施できると共に、部品点数（搭載機能）を減らさずに済む。しかも、球補給手段は、一般的な球払出装置（賞球排出装置）と同じような構成にすれば良いので、高速で補給動作させることができる。このため、上部球皿に補給するパチンコ球の補給動作のスピードを、球発射装置の発射動作のスピードと同等か又はそれよりも速くすることができ、下部球皿内にパチンコ球が残っているときに、比較的短時間で上部球皿内のパチンコ球が無くなってしまうことを防止して、パチンコ球の発射が途切れてしまうことを回避することができる。
【０００９】
ところで、遊技機の上部側に上部球皿を配置すると、上部球皿の位置が高くなるため、遊技者が上部球皿内のパチンコ球の貯溜状態を見て確認する際に、遊技者が椅子から立ち上がって上部球皿内を覗き込む必要が生じる。また、遊技者によっては、椅子から立ち上がっても上部球皿内を覗き込むことができず、上部球皿内のパチンコ球の貯溜状態を確認できない可能性もある。
【００１０】
この対策として、請求項２のように、上部球皿内のパチンコ球の貯溜状態を該上部球皿の上方以外から見て確認できるように構成すると良い。このようにすれば、遊技領域の上方側に上部球皿を配置しても、遊技者が上部球皿内のパチンコ球の貯溜状態を見て確認する際に、上部球皿内のパチンコ球の貯溜状態を上部球皿の上方以外（下方や前方）から容易に確認することができ、遊技者が椅子から立ち上がる必要がなくなる。
【００１１】
更に、請求項３のように、上部球皿の前面側に、イルミネーション手段を設けるようにしても良い。このようにすれば、遊技機の前面上部に、イルミネーション手段と上部球皿を上下２段に並べて配置する場合に比べて、イルミネーション手段と上部球皿を配置するスペースを上下方向に縮小することができ、その分、遊技領域を上方に拡大することが可能となる。
【００１２】
また、本発明は、遊技領域の上方側と下方側に上部球皿と下部球皿を備えた遊技機に限定されず、請求項４のように、上球皿と下球皿を備えた遊技機において、下球皿内のパチンコ球を球排出手段により機外へ排出し、排出されたパチンコ球と同じ数のパチンコ球を球補給手段により上球皿に補給するようにしても良い。この場合も、見掛け上、下球皿内のパチンコ球を上球皿へ移し替えることができるので、遊技者が下球皿内のパチンコ球を手で持ち上げて上球皿へ移し替える手間を省くことができる。
【００１３】
【発明の実施の形態】
《実施形態（１）》
以下、本発明をパチンコ機に適用した実施形態（１）を図１乃至図５に基づいて説明する。尚、図１はパチンコ機１１の正面図、図２はパチンコ機１１の裏面図、図３は上部球皿１７及びその周辺部の横断面図、図４は上部球皿１７及びその周辺部の縦断面図、図５は下部球皿１９及びその周辺部の縦断面図である。
【００１４】
まず、図１に基づいてパチンコ機１１（遊技機）の前面側の概略構成を説明する。パチンコ機１１の本体枠１２の前面側には、遊技盤１３が取り付けられている。この遊技盤１３の前面に取り付けられたレール１４等によって、遊技盤１３の前面に、パチンコ球が転動する遊技領域１５が区画形成され、この遊技領域１５に、センター役物、入賞口、入賞装置等（図示せず）が設けられている。また、本体枠１２には、遊技領域１５へパチンコ球を発射する球発射装置１６が、遊技領域１５の左側上部又は左側中間部に相当する位置に取り付けられている。尚、この球発射装置１６を遊技盤１３の前面に取り付けるようにしても良い。
【００１５】
一方、遊技領域１５の上方側には、パチンコ球を貯溜する上部球皿１７が設けられ、この上部球皿１７の下流部に、球送出装置１８が接続されている。この球送出装置１８は、球発射装置１６がパチンコ球を発射する毎に上部球皿１７からのパチンコ球を１個ずつ球発射装置１６に供給するようになっている。
【００１６】
また、遊技領域１５の下方側には、パチンコ球を貯溜する下部球皿１９や球発射装置１６の発射操作ハンドル２０が設けられている。台間球貸機（図示せず）の貸球排出ノズル４４から流れ出るパチンコ球（貸球）は、下部球皿１９に流入する。この下部球皿１９内のパチンコ球は、球排出装置２１（球排出手段）により機外（パチンコ島側のパチンコ球回収通路）へ排出される。
【００１７】
次に、図２に基づいてパチンコ機１１の裏面側の概略構成を説明する。パチンコ機１１の本体枠１２の裏面側には、裏部品を組み付ける機構板２２（図３、図４参照）が取り付けられている。この機構板２２の裏面上部には、パチンコ島の球補給通路（図示せず）からパチンコ球が補給される球タンク２３が設けられ、この球タンク２３の下流部に、球タンク２３から供給されるパチンコ球を払い出す球払出装置２４が接続されている。球払出装置２４と上部球皿１７との間には、球払出通路２５が接続され、球払出装置２４から払い出されたパチンコ球（賞球又は後述する補給球）が、球払出通路２５を流下して上部球皿１７に流入するようになっている。
【００１８】
また、球払出通路２５と下部球皿１９との間には、オーバーフロー通路２６が接続され、上部球皿１７内のパチンコ球の貯溜量が満杯になったときに、球払出装置２４から払い出されたパチンコ球が、オーバーフロー通路２６を流下して下部球皿１９に流入するようになっている。更に、上部球皿１７の下流部と下部球皿１９との間には、球抜き通路２７が接続され、球抜き部材（図示せず）が球抜き位置に操作されたときに、上部球皿１７内のパチンコ球が球抜き通路２７を流下して下部球皿１９に流入するようになっている。
【００１９】
次に、図３及び図４を用いて上部球皿１７及びその周辺部の構成について説明する。図３に示すように、球タンク２３の底面２３ａは、下流部の流路幅が下流に向かうにつれて狭められ、その最下流部に、パチンコ球を１列に整列させながら流下させる整流流路２８が設けられている。この整流流路２８の出口に、球払出装置２４の球供給口２９が接続されている。球払出装置２４は、球供給口２９の側方に、スプロケット３０が水平方向に回転するように配置されている。スプロケット３０の外周には、パチンコ球を受け入れる複数（例えば３個）の凹部３１が等間隔で形成され、各凹部３１間に、球供給口２９のパチンコ球を受け支える凸部３２が形成されている。スプロケット３０の下方（又は上方）には、スプロケット３０を駆動するステッピングモータ（図示せず）が配置され、このステッピングモータの回転軸３３にスプロケット３０が連結されている。
【００２０】
スプロケット３０の右側方には、球供給口２９からパチンコ機１１の前方に延びる賞球払出流路３４が設けられている。また、スプロケット３０の後方には、球供給口２９からスプロケット３０の回転方向に沿って延びる湾曲通路３５が設けられ、スプロケット３０の左側方には、湾曲通路３５から前方に延びる補給球払出流路３６が設けられている。
【００２１】
球払出装置２４の停止時には、スプロケット３０が所定の停止位置で停止している。このとき、スプロケット３０は、凸部３２が球供給口２９に対向してパチンコ球を受け支えている。又は、凹部３１が球供給口２９に対向して凹部３１に受け入れたパチンコ球を受け支えている。
【００２２】
そして、球タンク２３から供給されるパチンコ球を賞球として払い出す場合は、ステッピングモータを正回転させて、スプロケット３０を正回転方向（図３では時計回り方向）に回転させる。これにより、凹部３１が球供給口２９に対向する毎にパチンコ球を凹部３１に受け入れ、そのパチンコ球（賞球）をスプロケット３０の右側の賞球払出流路３４に流下させる。
【００２３】
また、下部球皿１９内のパチンコ球が球排出装置２１により機外へ排出されたときに、排出されたパチンコ球と同じ数のパチンコ球を上部球皿１７に補給する補給手段として球払出装置２４を使用する場合、つまり、球タンク２３から供給されるパチンコ球を補給球として払い出す場合は、ステッピングモータを逆回転させて、スプロケット３０を逆回転方向（図３では反時計回り方向）に回転させる。これにより、凹部３１が球供給口２９に対向する毎にパチンコ球を凹部３１に受け入れ、そのパチンコ球（補給球）をスプロケット３０の左側の補給球払出流路３６に流下させる。
【００２４】
賞球払出流路３４には、スプロケット３０から払い出される賞球を検出する賞球検出センサ３７が設けられ、補給球払出流路３６には、スプロケット３０から払い出される補給球を検出する補給球検出センサ３８が設けられている。また、球払出装置２４の賞球払出流路３４と補給球払出流路３６の前方には、共通の球払出通路２５が設けられている。この球払出通路２５は、賞球払出流路３４の前方から補給球払出流路３６の前方まで広がるように幅広に形成されている。
【００２５】
図４に示すように、球払出通路２５は、上部球皿１７に向かって下り傾斜するように形成され、その最上流部の上方に、オーバーフロー通路２６の入口孔２６ａが形成されている。これにより、上部球皿１７内のパチンコ球の貯溜量が少ないときには、実線矢印Ａで示すように、球払出装置２４から払い出されたパチンコ球（補給球や賞球）は、オーバーフロー通路２６の入口孔２６ａを飛び越えて上部球皿１７へ流下するが、上部球皿１７内のパチンコ球の貯溜量が満杯になって球払出通路２５の最上流部までパチンコ球が貯溜されると、破線矢印Ｂで示すように、球払出装置２４から払い出されたパチンコ球は、オーバーフロー通路２６の入口孔２６ａから落下するようになっている。
【００２６】
また、上部球皿１７は、少なくとも底面１７ａ部分が半透明又は透明の透明性部材で形成され、上部球皿１７内のパチンコ球の貯溜状態を遊技者が椅子に座った状態で上部球皿１７の下方側から見て確認できるようになっている。更に、上部球皿１７の前面には、装飾用のイルミネーション装置３９（イルミネーション手段）が設けられている。このイルミネーション装置３９は、その表面側に、半透明又は透明の装飾カバー４０が配置され、この装飾カバー４０の裏側に、ランプ、ＬＥＤ等の発光体４１が配線基板４２等に組み付けられて配置されている。
【００２７】
次に、図５を用いて下部球皿１９及びその周辺部の構成について説明する。図５に示すように、下部球皿１９の右側部には、パチンコ球を貯溜する球貯溜部４３が形成され、下部球皿１９の左側部には、台間球貸機の貸球排出ノズル４４から流れ出るパチンコ球（貸球）を受ける球受け部４５が形成されている。この球受け部４５は、右方に向かって緩やかに下り傾斜する貸球流下路４６を介して球貯溜部４３につながっている。球貯溜部４３は、底面が左方に向かって緩やかに下り傾斜するように形成されていると共に、左側部分の流路幅が下流に向かうにつれて狭められている。この球貯溜部４３の最下流部に、パチンコ球を１列に整列させながら流下させる案内流路４７が接続されている。
【００２８】
案内流路４７の最下流部には、下部球皿１９内のパチンコ球を機外（パチンコ島側）へ排出するための球排出通路４８が接続され、この球排出通路４８の入口部に、球排出装置２１が設けられている。この球排出装置２１には、案内流路４７内のパチンコ球を球排出通路４８に送り出すための球送出カム４９が設けられている。
【００２９】
球排出装置２１の停止時には、球送出カム４９が球排出通路４８内に突出して球排出通路４８の入口部を閉鎖する閉鎖位置に保持されるようになっている。一方、下部球皿１９内のパチンコ球を機外（パチンコ島側）へ排出する場合には、球送出カム４９を送出動作させて、案内流路４７内のパチンコ球を球排出通路４８に送り出して機外へ排出するようになっている。
【００３０】
一方、案内流路４７の下流部（球送出カム４９の上流側）には、球送出カム４９によって塞き止められたパチンコ球を検出する球検出センサ５０が配置され、球排出通路４８の入口部（球送出カム４９の下流側）には、球排出通路４８を流下して機外へ排出されるパチンコ球を検出する排出球検出センサ５１が配置されている。
【００３１】
また、案内流路４７の下流部（球送出カム４９の上流側）の下面には、下部球皿１９内のパチンコ球を下方に抜き取るための球抜き通路５２が接続され、この球抜き通路５２の入口部に、該入口部を開閉する球抜き部材５３が水平方向にスライド移動可能に設けられている。
【００３２】
球抜き部材５３は、通常時には、ばね等の付勢手段によって閉方向に移動して球抜き通路５３の入口部を閉鎖する閉鎖位置に保持されるようになっている。一方、下部球皿１９内のパチンコ球を下方に抜き取る場合には、下部球皿１９の前面に設けられた球抜き操作レバー（図示せず）を開方向に操作して、球抜き部材５３を開方向へ移動させて球抜き通路５２の入口部を開放することで、案内流路４７内のパチンコ球を球抜き通路５２に落下させて下方に抜き取るようになっている。
【００３３】
以上のように構成したパチンコ機１１の球発射装置１６、球排出装置２１、球払出装置２４の動作は、パチンコ機１１の制御回路（図示せず）によって次のように制御される。
【００３４】
パチンコ機１１の制御回路は、台間球貸機の貸球排出ノズル４４から排出された貸球が、下部球皿１９内を流下して案内流路４７の球検出センサ５０で検出されたときに、球排出装置２１の球送出カム４９を送出動作させて下部球皿１９内のパチンコ球を球排出通路４８に送り出して機外（パチンコ島側）へ排出すると共に、排出されたパチンコ球の数を球排出通路４８の排出球検出センサ５１の出力パルス数でカウントする。この場合、球排出装置２１の球送出カム４９によるパチンコ球の排出動作のスピードは、球発射装置１６の発射動作のスピードと同等か又はそれよりも高速（例えば１００球／分以上の速さ）に設定されている。
【００３５】
そして、パチンコ機１１の制御回路は、下部球皿１９から排出されたパチンコ球の数に応じて球払出装置２４のスプロケット３０を逆回転させてパチンコ球を補給球として払い出し、下部球皿１９から排出されたパチンコ球と同じ数の補給球を上部球皿１７に補給する。これにより、見掛け上、下部球皿１９内のパチンコ球を上部球皿１７へ移し替えることができる。この場合、球払出装置２４の払出動作のスピードは、球発射装置１６の発射動作のスピードと同等か又はそれよりも高速（例えば１００球／分以上の速さ）に設定されている。上部球皿１７内のパチンコ球は、球発射装置１６の発射動作に同期して球送出装置１８によって１球ずつ球発射装置１６に供給される。
【００３６】
また、パチンコ機１１の制御回路は、発射操作ハンドル２０が発射操作されているときに、その操作量に応じた発射力で球発射装置１６を発射動作させて、パチンコ球を遊技領域１５に打ち出す。
【００３７】
また、パチンコ機１１の制御回路は、遊技領域１５を転動するパチンコ球が入賞して賞球払出指令が出されたときに、球払出装置２４をスプロケット３０を正回転させて、所定数のパチンコ球を賞球として上部球皿１７に払い出す。
【００３８】
大当り等で上部球皿１７内のパチンコ球の貯溜量が満杯になって球払出通路２５の最上流部までパチンコ球が貯溜されると、球払出装置２４から払い出されたパチンコ球は、オーバーフロー通路２６を流下して下部球皿１９に流入する。
【００３９】
この場合、上部球皿１７から下部球皿１９にオーバーフローしたパチンコ球が下部球皿１９内を流下して案内流路４７の球検出センサ５０で検出されると、球排出装置２１により下部球皿１９内のパチンコ球が機外へ排出され、排出されたパチンコ球と同じ数のパチンコ球が、球払出装置２４により上部球皿１７へ補給される。
【００４０】
その際、遊技者が、球抜き操作レバーを開方向に操作して、下部球皿１９内のパチンコ球を球抜き通路５２に落下させて下方に抜き取ると、案内流路４７の球検出センサ５０でパチンコ球が検出されなくなるため、球排出装置２１の排出動作及び球払出装置２４の補給球払出動作が停止される。
【００４１】
尚、遊技終了時は、上部球皿１７内のパチンコ球を球抜き通路２７を流下させて下部球皿１９に流入させ、更に、下部球皿１９内のパチンコ球を球抜き通路５２に落下させて下方に抜き取ることで、上部球皿１７内のパチンコ球及び下部球皿１９内のパチンコ球を抜き取ることができる。
【００４２】
以上説明した本実施形態（１）では、上部球皿１７内のパチンコ球を球発射装置１６に供給するものにおいて、下部球皿１９内のパチンコ球を球排出装置２１により機外へ排出し、排出されたパチンコ球と同じ数の補給球（パチンコ球）を球払出装置２４により上部球皿１７に補給するようにしたので、見掛け上、下部球皿１９内のパチンコ球を上部球皿１７へ移し替えることが可能となり、遊技者が下部球皿１９内のパチンコ球を手で持ち上げて上部球皿１７へ移し替える手間を省くことができる。
【００４３】
この場合、パチンコ機１１の下部から上部に延びる大型のリフト機構を設ける必要がないので、近年の多機能化・部品点数増加の傾向にあるパチンコ機においても、本実施形態の構成を比較的低コストで容易に実施できると共に、部品点数（搭載機能）を減らさずに済む。しかも、球払出装置２４は、一般的なスプロケット式の球払出装置と同じように、高速で補給動作させることができるため、上部球皿１７に補給するパチンコ球の補給動作のスピードを、球発射装置１６の球発射動作のスピードと同等か又はそれよりも速くすることができ、下部球皿１９内にパチンコ球が残っているときに、比較的短時間で上部球皿１７内のパチンコ球が無くなってしまうことを防止して、パチンコ球の発射が途切れてしまうことを回避することができる。
【００４４】
また、本実施形態（１）では、上部球皿１７の少なくとも底面１７ａ部分を透明性部材で形成して、上部球皿１７内のパチンコ球の貯溜状態を上部球皿１７の下方側から見て確認できるようにしたので、遊技領域１５の上方側に上部球皿１７を配置しても、遊技者が座ったままの状態で上部球皿１７の下面を見るだけで上部球皿１７内のパチンコ球の貯溜状態を容易に確認することができる。
【００４５】
更に、本実施形態（１）では、上部球皿１７の前面に、イルミネーション装置３９を設けるようにしたので、パチンコ機１１の前面上部に、イルミネーション装置３９と上部球皿１７を上下２段に並べて配置する場合に比べて、イルミネーション装置３９と上部球皿１７を配置するスペースを上下方向に縮小することができ、その分、遊技領域１５を上方に拡大化することができる。
【００４６】
《実施形態（２）》
前記実施形態（１）では、球払出装置２４から上部球皿１７へ賞球を払い出すようにしたが、図６に示す本発明の実施形態（２）では、球払出装置２４から下部球皿１９へ賞球を払い出すようにしている。以下、本実施形態（２）を具体的に説明する。但し、前記実施形態（１）と実質的に同一部分には、同一符号を付して説明を省略する。
【００４７】
図６に示すように、球払出装置２４の賞球払出流路３４の前方に、賞球払出流路３４から払い出される賞球を流下させる賞球流下路５４が下方に延びるように設けられている。この賞球流下路５４は、直接、下部球皿１９の上流部に接続するようにしても良いが、オーバーフロー通路２６に合流させるようにしても良い。その他の構成は、前記実施形態（１）と同じである。
【００４８】
本実施形態（２）では、遊技領域１５を転動するパチンコ球が入賞して賞球払出指令が出されたときに、球払出装置２４のスプロケット３０を正回転させて、所定数の賞球を下部球皿１９に払い出す。そして、下部球皿１９に払い出された賞球が下部球皿１９内を流下して案内流路４７の球検出センサ５０で検出されると、球排出装置２１により下部球皿１９内のパチンコ球を機外へ排出し、その排出動作に応じて、球払出装置２４のスプロケット３０を逆回転させて、下部球皿１９から排出されたパチンコ球と同じ数の補給球を上部球皿１７に補給する。
【００４９】
以上説明した本実施形態（２）のように構成しても、前記実施形態（１）と同様の効果を得ることができる。
尚、上記各実施形態（１）、（２）では、台間球貸機から貸球を払い出すようにしたが、球払出装置２４に貸球払出機能を持たせて、球払出装置２４から上部球皿１７又は下部球皿１９に貸球を払い出すようにしても良い。
【００５０】
また、賞球や貸球を上部球皿１７又は下部球皿１９に払い出す球払出装置と、下部球皿１９から排出されたパチンコ球と同じ数の補給球を上部球皿１７に補給する球補給装置を別々に設けるようにしても良い。
【００５１】
また、上記各実施形態（１）、（２）では、案内流路４７の球検出センサ５０でパチンコ球を検出したときに、自動的に下部球皿１９内のパチンコ球を球排出装置２１により排出する排出動作と、排出されたパチンコ球と同じ数の補給球を球払出装置２４により上部球皿１７に補給する補給動作を実行するようにしたが、例えばパチンコ機１１の前面に設けた切換スイッチにより排出動作及び補給動作の許可／禁止を切り換えるようにしても良い。この場合は、上部球皿１７内のパチンコ球の残りが少なくなってきたときに、遊技者が切換スイッチを操作して、下部球皿１９から排出したパチンコ球と同じ数の補給球を上部球皿１７に補給するようにすれば良い。
【００５２】
また、案内流路４７の球検出センサ５０を省略して、例えばパチンコ機１１の前面に設けた操作スイッチをオンしている期間又は操作スイッチをオンしてから所定期間が経過するまで強制的に排出動作及び補給動作を実行するようにしても良い。この場合も、上部球皿１７内のパチンコ球の残りが少なくなってきたときに、遊技者が操作スイッチを操作するようにすれば良い。
【００５３】
或は、案内流路４７の球検出センサ５０を省略して、上部球皿１７に貯溜量検出センサを設け、上部球皿１７内のパチンコ球の貯溜量が所定量以下になったことを貯溜量検出センサで検出したときに、自動的に排出動作及び補給動作を実行するようにしても良い。
【００５４】
また、球払出装置２４の構成は、適宜変更しても良く、例えば、スプロケット３０を鉛直方向に回転するように配置した構成にしても良い。或は、スクリューを回転させてパチンコ球を払い出す構成にしても良い。
また、上部球皿１７の前面には、イルミネーション装置３９の他に、スピーカなどの音響装置等を設けるようにしても良い。
【００５５】
《実施形態（３）》
上記各実施形態（１）、（２）では、上部球皿１７の少なくとも底面１７ａ部分を透明性部材で形成して、上部球皿１７内のパチンコ球の貯溜状態を上部球皿１７の下方側から見て確認できるようにしたが、図７に示す本発明の実施形態（３）では、パチンコ機５５（遊技機）の前面に対して後方にずらした位置に、上部球皿５６を配置し、この上部球皿５６の上方に、鏡面部材５７を下向きに配置することで、上部球皿５６内のパチンコ球の貯溜状態を鏡面部材５７に写して上部球皿５６の下方側から確認できるようにしている。また、イルミネーション装置３９を鏡面部材５７の上方に配置し、鏡面部材５７を見る遊技者の視線をイルミネーション装置３９で遮らないようにしている。
【００５６】
本実施形態（３）のように構成すれば、遊技者が座ったまま鏡面部材５７を見るだけで上部球皿５６内のパチンコ球の貯溜状態を鏡面部材５７に写して容易に確認することができる。
【００５７】
尚、パチンコ機の前面に、上部球皿内のパチンコ球の貯溜量をデジタル表示又はアナログ表示する球残量表示装置を設けるようにしても良く、この場合でも、遊技者が座ったまま球残量表示装置を見るだけで上部球皿内のパチンコ球の貯溜状態を容易に確認することができる。
【００５８】
また、遊技領域の上方側と下方側に上部球皿と下部球皿を備えたパチンコ機に限定されず、図８に示すように、遊技領域５８の下方に、上球皿５９と下球皿６０を備えたパチンコ機６１（遊技機）において、下球皿６０内のパチンコ球を球排出手段（図示せず）により機外へ排出し、排出されたパチンコ球と同じ数のパチンコ球を上球皿５９よりも上方側から球補給手段（図示せず）により上球皿５９に補給するようにしても良い。この場合も、見掛け上、下球皿６０内のパチンコ球を上球皿５９へ移し替えることができるので、遊技者が下球皿６０内のパチンコ球を手で持ち上げて上球皿５９へ移し替える手間を省くことができる。
【００５９】
尚、球発射装置の位置は、パチンコ機の上部側に限定されず、中間部であっても良い。
その他、本発明はパチンコ機に限定されず、所定数のパチンコ球を発射して組み合わせ式ゲームを行うアレンジ式パチンコ機等、種々の遊技機に本発明を適用しても良い。
【００６０】
【発明の効果】
以上の説明から明らかなように、本発明の請求項１の遊技機によれば、遊技領域の上方側と下方側に上部球皿と下部球皿を設け、上部球皿内のパチンコ球を球発射装置に供給するように構成し、下部球皿内のパチンコ球を球排出手段により機外へ排出し、排出されたパチンコ球と同じ数のパチンコ球を球補給手段により上部球皿に補給するようにしたので、構成簡単化、低コスト化の要求を満たしながら、２つの球皿間のパチンコ球の移し替えの手間を省くことができると共に、いずれかの球皿にパチンコ球が残っている間は、パチンコ球の発射が途切れないように球発射装置にパチンコ球を供給し続けることができる。
【００６１】
また、請求項２では、上部球皿内のパチンコ球の貯溜状態を該上部球皿の上方以外から見て確認できるように構成したので、遊技領域の上方側に上部球皿を配置しても、遊技者が座ったまま上部球皿の方を見上げるだけで上部球皿内のパチンコ球の貯溜状態を見て容易に確認することができる。
【００６２】
更に、請求項３では、上部球皿の前面側に、イルミネーション手段を設けるようにしたので、イルミネーション手段と上部球皿を配置するスペースを縮小することができ、その分、遊技領域を上方に拡大化することができる。
【００６３】
また、請求項４では、上球皿と下球皿を備えた遊技機において、下球皿内のパチンコ球を球排出手段により機外へ排出し、排出されたパチンコ球と同じ数のパチンコ球を球補給手段により上球皿に補給するようにしたので、上球皿と下球皿を備えた一般的な遊技機において、遊技者が下球皿内のパチンコ球を手で持ち上げて上球皿へ移し替える手間を省くことができる。
【図面の簡単な説明】
【図１】本発明の実施形態（１）におけるパチンコ機の正面図
【図２】実施形態（１）のパチンコ機の裏面図
【図３】実施形態（１）の上部球皿及びその周辺部の横断面図
【図４】実施形態（１）の上部球皿及びその周辺部の縦断面図
【図５】実施形態（１）の下部球皿及びその周辺部の縦断面図
【図６】実施形態（２）の上部球皿及びその周辺部の横断面図
【図７】実施形態（３）の上部球皿及びその周辺部の縦断面図
【図８】その他の実施形態のパチンコ機の正面図
【符号の説明】
１１…パチンコ機（遊技機）、１５…遊技領域、１６…球発射装置、１７…上部球皿、１９…下部球皿、２１…球排出装置（球排出手段）、２３…球タンク、２４…球払出装置（球補給手段）、２５…球払出通路、２６…オーバーフロー通路、２７…球抜き通路、３９…イルミネーション装置（イルミネーション手段）、４８…球排出通路、５０…球検出センサ、５１…排出球検出センサ、５２…球抜き通路、５３…球抜き部材、５４…賞球流下路、５５…パチンコ機（遊技機）、５６…上部球皿、５７…鏡面部材、５８…遊技領域、５９…上球皿、６０…下球皿、６１…パチンコ機（遊技機）。
【図１】
2004065599.tif 000003
【図２】
2004065599.tif 000004
【図３】
2004065599.tif 000005
【図４】
2004065599.tif 000006
【図５】
2004065599.tif 000007
【図６】
2004065599.tif 000008
【図７】
2004065599.tif 000009
【図８】
2004065599.tif 000010